Podtech/llm-jp-corpus-v4-ja_patent huggingface dataset:
(57)【要約】【課題】市販の段ボール空気砲は一般には煙がドーナツ状の形で発射されるが、的あてゲームのような使い方には不向きである。本考案の目的はスピーカを使って空気の球で的あてゲームをすることができる消費電力の少ない装置の提供にある。【解決手段】本考案はスピーカボックス１、ウーハースピーカ５、直流電源装置（図示せず）、スピーカボックス１と発射パイプを連結するフランジ２で構成されている。スピーカボックス１の側面両方にウーハースピーカ５とを取り付け前面に発射パイプ３がフランジ２で取り付けられる。【選択図】図１
0003180370.tif 000002
【実用新案登録請求の範囲】
【請求項１】
スピーカボックス１と、ウーハースピーカ５と、直流電源装置と、前記スピーカボックス１と発射パイプ３を連結するフランジ２で構成され、前記スピーカボックス１の側面両方に前記ウーハースピーカ５とを取り付け、前記スピーカボックス１の前面に前記発射パイプ３がフランジ２で取り付けられていることを特徴とする空気砲。
【請求項２】
前記発射パイプ３の先端部に前記発射パイプ３の内径の6/10〜7/10の大きさの径の穴のあいた発射キャップ４を付けたことを特徴とする請求項１記載の空気砲。
【考案の詳細な説明】
【技術分野】
【０００１】
本考案は、スピーカを使って、空気の球を発射する装置、空気砲装置に関する。
【背景技術】
【０００２】
市販で販売している空気砲は段ボールの箱に穴をあけて手でたたいて空気を出す段ボール空気砲というおもちゃがある。段ボール空気砲は箱を大きくすると空気の届く距離は長くなるが、正確に的をねらうことはできない。また耐久性にも問題がある。
【先行技術文献】
【特許文献】
【０００３】
特開２００４−２９８６０７  
特開２００５−１０２７１９  
【考案の概要】
【考案が解決しようとする課題】
【０００４】
市販の段ボール空気砲は一般には煙がドーナツ状の形で発射されるが、的あてゲームのような使い方には不向きである。
また、先行技術文献1および先行技術文献2で紹介されているものは、装置が大がかりであり、使用において消費電力が大きくなりすぎるという問題がある。
【０００５】
本考案の目的は、スピーカを使って空気の球で的あてゲームをすることができる消費電力の少ない装置の提供にある。
【課題を解決するための手段】
【０００６】
従来の空気砲は、ドーナツ状の空気の流れを見ることはできるがピンポイントで空気の球を出すことは出来ない。この方法だと段ボールの箱を人が手でたたくので空気が移動するスピードが遅く正確に空気の球を遠くまで飛ばせない。スピーカを使うことで人間の手でたたく何倍ものスピードで空気の球を発射することができる。
【０００７】
本考案はスピーカボックス１、ウーハースピーカ５、直流電源装置（図示せず）、スピーカボックス１と発射パイプを連結するフランジ２で構成されている。スピーカボックス１の側面両方にウーハースピーカ５とを取り付け前面に発射パイプ３がフランジ２で取り付けられる。
【考案の効果】
【０００８】
従来の空気砲は、段ボールでできているが、スピーカボックス１は木材でできているので耐久性がある。ウーハースピーカ５に直流の電圧のマイナスをかけるとウーハースピーカのコーン紙が内側に動く。その時空気は発射パイプから放出される。ウーハースピーカのコイルに1秒ぐらいのパルス電圧を加えるとコーン紙は人が段ボールの箱をたたいたのと同じように発射パイプ３から空気が出る。この空気の出るスピードは人が段ボール箱をたたく何十倍の速度である。この空気を利用して空気の球を作る。これが本考案の空気砲の原理である。スピーカを使うので実際製作した空気砲は波動砲という名前にしている。
【０００９】
本考案の空気砲によれば、発射パイプの太さは直径１０ｃｍであるがパイプの先に穴の直径が筒の内径の６/１０〜７/１０になるようにキャップをしている。そのままだとドーナツ状の渦ができないので空気の球ができない。本空気砲は空気の出口が直径約６ｃｍぐらいで、テニスボールぐらいのドーナツ状の空気の球が出てくる。実際の使用においては、３ｍぐらいの先の的（的の形・重さによる）を倒すことができる。また、ピンポイントで物をねらうことができる。
【００１０】
レーザーポインタをつけているので、１０ｃｍ幅の中の的をねらうことができるが、設置する場所、環境によるわずかな空気の流れによって影響を受ける。無風状態で使用するとレーザーポインタのあたっているところに空気の球が当てることができる。
【図面の簡単な説明】
【００１１】
【図１】本考案の空気砲の一実施例を示す上面図である。
【図２】本考案により製作した空気砲の写真である。
【考案を実施するための形態】
【００１２】
図１を詳しく説明する。発射パイプ４はスピーカボックス１にフランジ２で前面に固定されていて、発射パイプの先端部は空気が渦を巻くように、空気がドーナツ状に出る。
【００１３】
図２の説明をする。破線の矢印は空気の流れを示している。フランジ２に差された発射パイプは透明を使っている、先端部の穴の部分に発射キャップ４をつけて穴が６/１０〜７/１０程度になるようにした。
【実施例】
【００１４】
主に段ボール空気砲との違いについて説明する。材料は木材を使用した。
【００１５】
スピーカボックス１にウーハースピーカ５を2ヶ所に付け、同時に２つのスピーカにマイナスの電圧をかけるようにした。ペットボトル１本分５００ｍｌぐらいの空気が瞬間に発射される。  
【００１６】
スピーカボックス１に取り付けたフランジ６は８本のビスで固定し、発射パイプ３の内径は１０ｃｍ、取り付け先端の穴径の大きさは６ｃｍにした
【００１７】
発射パイプ２は抜き差しが簡単にできるようにして、発射パイプ２の出る空気の渦の大きさが変えられるようにした。ここでは煙用のノズルも製作した。  
【００１８】
スピーカボックスの中に的がねらいやすいようにレーザーポインタを取り付けた。
【符号の説明】
【００１９】
１  スピーカボックス木製
２  フランジ
３  発射パイプ
４  発射キャップ
５  ウーハースピーカ
【図１】
0003180370.tif 000003
【図２】
0003180370.tif 000004
(57)【要約】      （修正有）【課題】紫外線を遮蔽し、顔面を明るく見せるキャップやハット、サンバイザー等の帽子を提供する。【解決手段】つば２は、白色のポリプロピレンから構成され、その表面は、比較的なめらかであるが、微小な凹凸がある。このため、サンバイザーの使用時に、周囲の光がサンバイザーのつば２の裏面で乱反射されることにより、着用者の顔面を明るくする領域Ａが生じる。【選択図】図３
0003180341.tif 000002
【実用新案登録請求の範囲】
【請求項１】
キャップやハット、サンバイザー等のつばを有する帽子において、前記つばの裏面を、白色化したことを特徴とする帽子。
【請求項２】
前記つばは、白色のポリプロピレンからなり、その上面が布で被覆されていることを特徴とする請求項１の帽子。
【請求項３】
前記つばは、白色塗料を塗布した素材からなり、その上面が布で被覆されていることを特徴とする請求項１の帽子。
【請求項４】
前記つばは、白色の布からなり、その上面が、さらに、別の布で覆われていることを特徴とする請求項１の帽子。
【考案の詳細な説明】
【技術分野】
【０００１】
本考案は、キャップ、ハットやサンバイザー等のつばを有する帽子に関するものである。
【背景技術】
【０００２】
キャップやサンバイザー等のつばを有する帽子は、一般的に屋外で使用され、主に、顔面の日除け防止のために着用される。帽子の前部に設けられるつばは、日除けの効果を挙げるために、比較的、冠部やバンド部から顔の前方に、大きく張り出している。
【０００３】
従来、日除けを考慮し、特に紫外線（ＵＶ）から顔面を保護するために、冠部の全周囲に鍔部を設けた帽子において、それらを構成する布帛（白色生地）に酸化チタンを含む樹脂をコーティングするものや（特許文献１）、冠部につばを設けた帽子において、つばの裏側にＵＶ帽子効果の高いポリエステル100％からなる黒い布地を裏地として使用するものがある（特許文献２）。
【０００４】
しかし、帽子全体を白色生地で作成するものでは、帽子のデザイン上、制限を受けることになり、また、つばの裏側を黒色化すると、着用者の顔面の色が暗くなり、見かけが良くない。また、これらのものは、帽子を着用する際、着用者の顔面への光の反射（周囲からのつばの裏面による着用者の顔面への光の反射）による影響を考慮したものではない。
【先行技術文献】
【特許文献】
【０００５】
【特許文献１】特開２００８―５０７３４号公報
【特許文献２】特開２００２―８８５５４号公報
【考案の概要】
【考案が解決しようとする課題】
【０００６】
本考案の目的は、紫外線の遮蔽をするとともに、顔面が明るく見えるキャップやハット、サンバイザー等の帽子を提供するものである。
【課題を解決するための手段】
【０００７】
上記目的を達成するため、本考案は、キャップやハット、サンバイザー等のつばを有する帽子において、前記つばの裏面を、白色化したことを特徴とするものである。
また、前記帽子のつばは、白色のポリプロピレンからなり、その上面が布で被覆されていることを特徴とするものである。
また、前記つばは、白色塗料を塗布した素材からなり、その上面が布で被覆されていることを特徴とするものである。
さらに、前記つばは、白色の布からなり、その上面が、さらに、別の布で覆われていることを特徴とするものである。
【考案の効果】
【０００８】
本考案によれば、キャップやハット、サンバイザー等の帽子において、つばの裏面を白色化することにより、着用者の顔面が明るくなり、美しく見える効果がある。
【図面の簡単な説明】
【０００９】
【図１】図１は、本考案を適用したサンバイザーの斜視図である。
【図２】図２は、図１に示すサンバイザーを裏側から見た図である。
【図３】図３は、本考案の帽子の着用時に使用者の顔面に入射する光線により、明るくなる領域が生じることを示す図である。
【考案を実施するための形態】
【００１０】
以下、本考案の構成について、添付の図面を参照し、説明する。
図１及び図２は、本考案の実施形態であるサンバイザーを示すものである。図１に示すように、本考案のサンバイザー１は、つば２と、サンバイザーを頭部に着用するためのバンド部４からなっている。バンド部４は、着用者の頭部にサンバイザー１を固定するためのものであり、一般的には、ばねあるいは硬質プラスチックを成形したものに、布地が貼り付けられており、頭部に接する面５には、装着感をよくし、汗を吸い取る布地５が貼り付けられている。
【００１１】
つば２は、硬質プラスチック（白色のポリプロピレン）を成形し、その表側（上側）に、適切な模様が印刷されるか、あるいは印刷された生地が貼り付けられており、周辺部は縁取りされている。図１、図２に示す実施形態では、つば２は、バンド部４との接続部の部分に、上縁部６を有するが、つば２とバンド部４との取り付け部の構造は、どのようなものであってもよい。
【００１２】
図２に主として示すように、つば２は、白色のポリプロピレンから構成されている。その表面は、比較的なめらかであるが、微小な凹凸がある。このため、図３に示すように、サンバイザーの着用時に、周囲の光がサンバイザーのつば２の裏面３で乱反射し、着用者の顔面を明るくする領域Ａを生じ、従来よりも顔の上部を明るくするので、顔面全体を美しく見せることができる。
つば２をポリプロピレンで構成する代わりに、他の種類の白色素材を使用してもよく、又つば２の裏面に白色材料を塗布することによっても同様な効果を奏することは明らかである。
さらに、つば２を、白色の布、特に白色ナイロンから構成し、その上面を、さらに、別の布で覆っても同様な効果を奏する。
【００１３】
上記実施形態の説明において、サンバイザーを例として説明したが、キャップ、ハット等のつばを有する帽子であっても、つばを同様に構成すれば、同一の作用効果が得られる。
【符号の説明】
【００１４】
１  サンバイザー
２  つば
３  つばの裏面
４  バンド部
５  布地
６  上縁部
【図１】
0003180341.tif 000003
【図２】
0003180341.tif 000004
【図３】
0003180341.tif 000005
(57)【要約】      （修正有）【課題】コンセントから抜いた後、自動的にプラグ端子が元の位置に復元する可動式差込みプラグを提供する。【解決手段】プラグ端子を支持する軸に、ストッパーカムとリターン用ねじりバネを設け、プラグ本体とストッパーカムに引っ掛かりを設ける。【選択図】図７
0003180543.tif 000002
【実用新案登録請求の範囲】
【請求項１】
軽い上下動によってコンセントから抜くことができる可動式差込みプラグにおいて、プラグ端子を支持する軸に、ストッパーカムとリターン用ねじりバネを設けることにより、コンセントから抜いた後、自動的にプラグ端子が元の位置に復元する差込みプラグの構造。
【請求項２】
請求項１の可動式差込みプラグにおいて、プラグ本体とストッパーカムに引っ掛かりを設けて、元の位置に復元したプラグ端子を安定させる差込みプラグの構造。
【考案の詳細な説明】
【技術分野】
【０００１】本考案は、可動式差込みプラグを利用してコンセントからプラグを抜いたときに、自動的にプラグ端子が元の位置に復元する構造を提供するものである。
【背景技術】
【０００２】差込みプラグのプラグ端子をコンセントに対して上下方向に自在に回転できる可動式プラグが考案され、「スナップキャップ」、「ムービープラグ」などの商品名で市販されている。この可動式プラグ本体をカム構造として、軽い上下動を加えることにより容易にコンセントから抜けるよう考案されたプラグ（以下「カムプラグ」という。）がある（登録実用新案第３１５５６１３号）。（図１から図６参照。）
【考案の概要】
【考案が解決しようとする課題】
【０００３】カムプラグは確かに、コンセントに差し込まれたプラグを軽く持ち上げる、又は抑えるだけでコンセントから抜くことができるが、導電部であるプラグ先端がフリーの状態で本体に取り付けられているため、抜いた後はそのままの状態となっていた。
【課題を解決するための手段】
【０００４】本考案では、カムプラグ内部のプラグ端子を支持する軸に、ストッパーカムとリターン用ねじりバネを設けることにより、コンセントから抜いた後、自動的にプラグ端子が元の位置に復元するカムプラグの構造を提供している。
また、プラグ本体とストッパーカムに引っ掛かりを設けて、元の位置に復元したプラグ端子をより安定させることもできる。
【図面の簡単な説明】
【０００５】
【図１】背景技術である「カムプラグ」（登録実用新案第３１５５６１３号）請求項１の形状（装着時側面図）。
【図２】背景技術である「カムプラグ」（登録実用新案第３１５５６１３号）請求項１の作用図（側面図）。
【図３】背景技術である「カムプラグ」（登録実用新案第３１５５６１３号）請求項２の形状（装着時側面図）。
【図４】背景技術である「カムプラグ」（登録実用新案第３１５５６１３号）請求項２の作用図（側面図）。
【図５】背景技術である「カムプラグ」（登録実用新案第３１５５６１３号）請求項３の形状（装着時側面図）。
【図６】背景技術である「カムプラグ」（登録実用新案第３１５５６１３号）請求項３の作用図（側面図）。
【図７】本考案の請求項１に関する、可動式差込プラグの外形図（側面図）
【図８】本考案の請求項１に関する、可動式差込プラグの外形図（断面図）
【図９】本考案の請求項１に関する、可動式差込プラグの説明図
【図１０】本考案の請求項１に関する、可動式差込プラグの作用図
【図１１】本考案の請求項２に関する、可動式差込プラグの作用図
【図１】
0003180543.tif 000003
【図２】
0003180543.tif 000004
【図３】
0003180543.tif 000005
【図４】
0003180543.tif 000006
【図５】
0003180543.tif 000007
【図６】
0003180543.tif 000008
【図７】
0003180543.tif 000009
【図８】
0003180543.tif 000010
【図９】
0003180543.tif 000011
【図１０】
0003180543.tif 000012
【図１１】
0003180543.tif 000013
(57)【要約】      （修正有）【課題】下肢の手術後療養時などに患者自身で着脱出来るパンツを提供する。【解決手段】１はベルトでゴムが入って伸縮可能になっている。パンツ左端部は開端部になっていて一端にボタン２他端はボタン穴３が設けてある。ベルト１はボタン２をボタン穴３に入れることにより連結する。パンツの左端部は開端部になっていて、両端の端縁に設けたホック４・５で閉じることが出来る。６はパンツの内部に設けたサポーターで、接着布で着脱可能になっている。パンツの生地は綿布である。【選択図】図１
0003180551.tif 000002
【実用新案登録請求の範囲】
【請求項１】
内部に着脱可能なサポーターを有し、左右側部の少なくとも一方が開閉可能な開端部となっていることを特徴とするパンツ。
【考案の詳細な説明】
【技術分野】
【０００１】  本考案は下肢の手術後療養時などに患者自身で着脱出来るパンツに関するものである。
【背景技術】
【０００２】  従来のパンツは下肢の手術後は手術した脚が動かせない為膝の屈伸等の動作が出来ず下着の脱ぎ着が大変不自由になる、その為手術後は看護師や介護者の手を借りて脱ぎ着をしなければいけない。これは骨折等ギプス使用時にも当てはまる。【０００３】  手術した脚は浮腫・腫れを伴う為ことに女性は普段着用しているショーツが使えない。ゆえに従来手術後女性は男性用トランクスの使用を余儀なくされている。
女性は男性用下着を着用する事への抵抗感がある。【０００４】  特に股関節の手術に於いて脇側腰部を切開するために傷口をショーツが圧迫したり擦れたりする為快復に支障をきたす可能性がある。従来のショーツでは療養中の身体を締め付ける欠点がある。【０００５】  回診時及び抜糸、ガーゼ・絆創膏交換、湿布等治療時には頻繁に脱ぐまたは大きくずらす必要があるが、従来のショーツではうまく着脱出来ない。一般のパンツでは羞恥心が伴うが従来の物は顕著である。【０００６】  シャワー、入浴等自身で着替える都度、介護者や看護師を呼ばなければならない。
【考案の概要】
【考案が解決しようとする課題】
【０００７】本考案は上記欠点を解決する事が出来るパンツを提供することを課題とする。
【課題を解決するための手段】
【０００８】本考案に係るパンツは、内部に着脱可能なサポーターを有し、左右側部の少なくとも一方が開閉可能な開端部となっていることを特徴とするものである。
【考案の効果】
【０００９】本考案にはつぎの様な効果を得る事が出来る。
（１）自分で開端部を開閉し着脱出来る。手術した脚を動かさなくて済むので着脱に看護師や介護者の手を借りなくてよい。
（２）女性が普段恥ずかしくて人前では着用出来ない男性用パンツを履かなくて済む。
（３）医師、看護師側からの看護も容易である。
（４）ゆったりとしたパンツで締め付けがなく傷口を圧迫しない。浮腫や腫れた脚の付け根（鼠蹊部）を締め付けない。
（５）横になった姿勢でも開閉可能な開端部を開きガーゼ交換・湿布の貼付け・抜糸等容易に傷口が出せる。
（６）開端部をひらいたときにサポーターが陰部を隠すので羞恥心が緩和され安心感が得られる。
（７）サポーターは尿漏れパッドを固定できるので安心して就寝出来る。
（８）サポーターは脱着可能なので汚れた場合、サポーター部だけの交換が可能である。
（９）エコー検査等露出が必要な時にも脱がずに検査出来る。
【図面の簡単な説明】
【００１０】
【図１】実施例のパンツの斜視図
【考案を実施するための形態】
【実施例】
【００１１】以下の実施例を説明する。この実施例は短パン（左側開閉）の例である。【００１２】  図において１はベルトでゴムが入って伸縮可能になっている。パンツ左端部は開端部になっていて一端にボタン２他端はボタン穴３が設けてある。ベルトはボタン２をボタン穴３に入れることにより連結する。【００１３】  パンツの左端部は開端部になっていて、両端の端縁に設けたホック４・５で閉じることが出来る。６はパンツの内部に設けたサポーターで、図示しないが、接着布で着脱可能になっている。パンツの生地は綿布である。【００１４】  上記実施例では左開きの例を示したが、右開き・両開きにしてもよい【００１５】  長さは実施例では短パンですが長さは任意とし、膝丈・ロング丈などデザイン用途等により変更してもよい。【００１６】  布地はパンツ、サポーター部とも実施例は布帛綿素材ですがその他布帛全般及びニット・レース・皮革・ストレッチ素材・合成皮革等でもよい。【００１７】  サポーター部は実施例では布帛綿素材ですが伸縮素材ならゴムはなくてもよい。
サポーターとパンツとの取り付け取り外し部は、実施例では接着布であるが、ボタン・スナップ・ファスナー・紐・リボン等に変更してもよい。【００１８】  ウエスト部は実施例ではすべてゴム入りであるが、素材・丈等のデザインによりベルト素材はその都度変更してもよい。【００１９】  留め具全般では金属類はＸ線撮影に支障が出るのでプラスチック製が好ましいが、デザイン、素材、用途により変更してもよい。ウエスト脇留め具は実施例ではボタン穴とボタンであるがループ・鍵ホック・紐・リボン・バックル・ジョイント金具等に変更してもよい。脇開閉部は実施例ではスナップであるがボタンや紐・リボン・ファスナー等に変更してもよい。【００２０】  裾部は、実施例では開閉しない方は筒縫いであるがデザイン上筒縫い以外の形状でもよい
【図１】
0003180551.tif 000003
(57)【要約】      （修正有）【課題】壁に穴を開けて、アンテナケーブルや電線を壁に通すときや、入口の穴と出口の穴の位置が水平ではなく、位置がずれて出口の穴が開いているとき、また壁と壁の間が暗いので出口の穴から見ても先端部がわかりにくい場合でも容易にケーブルを通すことが出来るケーブル通し器を提供する。【解決手段】発光部１をケーブル通し器の先端部又は全体に付ける。【選択図】図３
0003180533.tif 000002
【実用新案登録請求の範囲】
【請求項１】
発光部を付けたケーブル通し器。
【考案の詳細な説明】
【技術分野】
【０００１】  本考案は、発光部を付けたケーブル通し器に関するものである。
【背景技術】
【０００２】  従来、発光部を付けたケーブル通し器はなかった。
【考案の開示】
【考案が解決しようとする課題】
【０００３】  従来は次のような欠点があった。
従来、壁に穴を開けて、アンテナケーブルや電線を壁に通すとき、入口の穴と出口の穴の位置が水平ではなく、位置がずれて出口の穴が開いているとき、壁と壁の間が暗いので出口の穴から見ても先端部がわかりにくくケーブルを通すことがなかなかできなかった。
本考案は、上記の欠点を除くためになされたものである。
【課題を解決するための手段】
【０００４】  発光部をケーブル通し器の先端部に付ける。
本考案は、以上のような構成により問題点を解決している。
【考案の効果】
【０００５】  入口の穴と出口の穴の位置が水平ではなく、位置がずれて出口の穴が開いていて壁と壁の間が暗くても、先端部に発光部が付いているので容易に先端部がわかるので位置がずれている出口の穴からでも簡単にケーブルを通すことができる。
【考案を実施するための最良の形態】
【０００６】  発光部をケーブル通し器の先端部に付ける。
【実施例】
【０００７】  以下、本考案の実施例について説明する。
発光部１をケーブル通し器２の先端部に付ける。
発光部１は発光する部分である。
ケーブル通し器２はケーブル通し器である。
発光部を先端部だけでなくケーブル通し器の全体としてもよい。
発光部の種類、形状、材質、大きさをいろいろにすることにより、多種多様にすることができる。
【図面の簡単な説明】
【０００８】
【図１】本考案の側面図である。
【図２】本考案の拡大した側面図である。
【図３】本考案の実施をしている壁の断面の側面図である。
【図４】本考案の壁の位置がずれている出口の穴に発光部を付けた先端部が出ている斜視図である。図３において細部は省略している。各図の各部において主要部以外は省略している。各図の各部において波線以外の部分は省略している。
【符号の説明】
【０００９】１    発光部
２    ケーブル通し器
３    入口の穴
４    位置がずれている出口の穴
５    壁
６    壁
７    壁と壁の間
８    アンテナケーブル
【図１】
0003180533.tif 000003
【図２】
0003180533.tif 000004
【図３】
0003180533.tif 000005
【図４】
0003180533.tif 000006
【手続補正書】
【提出日】平成24年10月3日(2012.10.3)
【手続補正１】
【補正対象書類名】実用新案登録請求の範囲
【補正対象項目名】全文
【補正方法】変更
【補正の内容】
【実用新案登録請求の範囲】
【請求項１】
先端または全体に発光部を付けた棒状のケーブル通し器。
(57)【要約】      （修正有）【課題】地震の際に本棚から本やＤＶＤ等の収納物が落下し、散乱することを防ぐ本棚用落下防止具を提供する。【解決手段】本棚用落下防止具は、クッションゴム材２と固定シート材３と接着シール面４の三層から成り、接着シール面のはく離紙を剥がし、棚板５の前面に沿って本等の収納物が乗り上げない状態でしっかりと貼り付けて使用する。固定シート３は伸縮が少ない素材でクッションゴム材２の底面全体に付けてあり、クッションゴム材部分は細長い三角柱状で断面が高さ１ｃｍ以下の二等辺三角形で底角が３０度から５０度であることを特徴とする。【選択図】図６
0003180536.tif 000002
【実用新案登録請求の範囲】
【請求項１】
本棚の棚板の前面に沿って収納物にかからない様に取り付けて使用する本棚用落下防止具において、クッションゴム材、固定シート材、接着シール面から成り、固定シート材は伸縮が少ない素材でクッションゴム材は三角柱状であり、断面が高さ１ｃｍ以下の二等辺三角形で底角の角度が３０度から５０度であることを特徴とする本棚用落下防止具。
【考案の詳細な説明】
【技術分野】
【０００１】  本考案は、地震の際本棚等から本やＤＶＤ等の収納物が落下散乱することを防止するため棚に取り付ける器具に関する。
【背景技術】
【０００２】  地震の際に本棚等からの収納物の落下散乱防止する器具としては棚の段を横切るように取り付ける棒状の金具が主に使用されている。また特許公開２００８−３０１９８０の様に収納物の下に敷くシート状の落下防止具も考案されている。
【考案の概要】
【考案が解決しようとする課題】
【０００３】  上記のような金具の落下防止具は収納物の出し入れがしにくくなる可能性があり、またシート状の落下防止具は敷く際に収納物を一度を取り除かなければならない場合がある。【０００４】  本考案はこのような課題を解決し、収納物を移動することなく簡単に取り付けが出来、地震の振動で本等の収納物が移動しても本棚用落下防止具のゴム材が滑りを止め、衝撃を吸収し、また収納物に当たる面が乗り上げにくい傾斜になっていることにより本等の収納物の落下散乱を防止することの出来る本棚用落下防止具を提供するものである。【０００５】上記の課題を解決するためになされた本考案に係る本棚用落下防止具はクッションゴム材と固定シート材と接着シール面の三層から成り、接着シール面のはく離紙を剥がし、棚板の前面に沿って本等の収納物が乗り上げない状態でしっかりと貼り付けて使用する本棚用落下防止具において固定シートは伸縮が少ない素材でクッションゴム材の底面全体に付けてあり、クッションゴム材部分は細長い三角柱状で断面が高さ１ｃｍ以下の二等辺三角形で底角が３０度から５０度であることを特徴とする。
【考案の効果】
【０００６】  本考案に係る本棚用落下防止具のクッションゴム材部分は地震の際の揺れによる棚内の収納物の滑りを止め、ぶつかる衝撃を吸収し、形が細長い三角柱状をしているため、本等の収納物がその傾斜を乗り越え難いため落下を防ぐことが出来る。また棚板に合わせて、はさみで切って長さを調節出来、はく離紙を剥がして貼り付けるだけで簡単に取り付けが出来、作りが簡素であるため低コストで製造できる。
【図面の簡単な説明】
【０００７】
【図１】本棚用落下防止具の正面図
【図２】本棚用落下防止具の平面図
【図３】図１のＡ−Ａ線断面図
【図４】本棚用落下防止具を実際に取り付けた状態の正面図
【図５】本棚用落下防止具を実際に取り付けた状態の平面図
【図６】本棚用落下防止具を実際に取り付けた状態の斜視図
【図７】本実施例で使用した本棚用落下防止具の写真
【図８】本実施例の本棚用落下防止具を取り付けた状態の写真
【実施例】
【０００８】  本考案の本棚用落下防止具の実施例を図４、図５、図６、図８に示す。図が示すように本実施例の本棚用落下防止器具１は棚板５前面の端に沿うように設置されており、接着シール面４が棚板７に接着されている。本棚用落下防止具１は収納物６と重ならないように設置されており、一番上層のクッションゴム材２は細長い三角柱状である。本実施例の本棚用落下防止具は棚板５の大きさに合わせ長さ３９ｃｍ程度、高さ０．７ｃｍ程度、底角４５度程度のものを使用している。【０００９】クッションゴム材の素材は天然ゴムやエラストマ樹脂でも可能であるが、本実施例では弾力もあり、色彩鮮やかなシリコンゴムを使用している。【００１０】本棚用落下防止具を設置する際は、本等の収納物との距離が近すぎない方が望ましい。また収納物の高さは各棚内の８割を超えない程度が望ましい。【００１１】固定シート材は伸縮の少ないものが望ましい。本実施例ではポリエステルシートを使用している。
【符号の説明】
【００１２】１  本棚用落下防止具
２  クッションゴム材
３  固定シート材
４  接着シール面
５  棚板
６  本（収納物）
７  底角
【図１】
0003180536.tif 000003
【図２】
0003180536.tif 000004
【図３】
0003180536.tif 000005
【図４】
0003180536.tif 000006
【図５】
0003180536.tif 000007
【図６】
0003180536.tif 000008
【図７】
0003180536.tif 000009
【図８】
0003180536.tif 000010
(57)【要約】      （修正有）【課題】自動紙送り装置中に使用する紙分離機構に関し、部品の使用数量を減らしコストを低減させ、装置をシンプルにすることができる紙分離機構を提供する。【解決手段】紙分離機構１００は、自動紙送り装置中に使用し、キャリアフレーム２０、紙分離スタンド１０、紙分離バネ３０を備え、キャリアフレーム２０にはバネ槽を開設し、紙分離スタンド１０はキャリアフレーム２０上に設置して固定し、開槽を設ける。さらに、紙分離バネ３０は径方向にキャリアフレーム２０のバネ槽中に設置し、しかも紙分離バネ３０の線径頂点端は開槽上表面に伸び出し、紙分離バネ３０そのものの線径の高低差により紙の分離を行い、紙分離バネ３０そのものの弾性を緩衝とし紙の損傷を回避する。【選択図】図３
0003180538.tif 000002
【実用新案登録請求の範囲】
【請求項１】
紙分離機構は、通常、自動紙送り装置中に使用し、キャリアフレーム、紙分離スタンド、紙分離バネを備え、前記キャリアフレームにはバネ槽を開設し、前記紙分離スタンドは前記キャリアフレーム上に設置して固定し、しかも開槽を開設し、
前記紙分離バネは径方向に前記キャリアフレームのバネ槽中に設置し、しかも前記紙分離バネの線径頂点端は前記開槽上表面に伸び出し、前記紙分離バネそのものの線径の高低差により紙の分離を行うことを特徴とする紙分離機構。
【考案の詳細な説明】
【技術分野】
【０００１】
本考案は自動紙送り装置中に使用する紙分離機構に関し、部品の使用数量を減らしコストを低減させ、装置をシンプルにすることができる紙分離機構に係る。
【背景技術】
【０００２】
図１、２に示すように、従来の紙分離機構は、紙分離摩擦片スタンド１０’、紙分離ゴム片２０’、紙分離ゴム片スポンジ３０’を備える。紙分離摩擦片スタンド１０’には、開槽１１’を開設する。紙分離ゴム片２０’は、紙分離摩擦片スタンド１０’の開槽１１’に設置する。
紙分離ゴム片２０’の頂点端には、階段状のゴム片２１’を設置する。紙分離ゴム片スポンジ３０’は、紙分離ゴム片２０’下方に設置する。紙が正方向の力を受け重ねた紙は座屈を生じ、紙分離機構に進入し紙は紙分離ゴム片２０’に接触し、しかも階段状ゴム片２１’により紙の分離が行われる。
【０００３】
しかし、上記した紙分離ゴム片２０’により行われる紙分離において、紙分離ゴム片２０’は、紙により磨耗され紙分離の性能は低下してしまう。本考案は、従来の紙分離機構の上記した欠点に鑑みてなされたものである。
【考案の概要】
【考案が解決しようとする課題】
【０００４】
本考案が解決しようとする課題は、部品の使用数量を減らしコストを低減させ、装置をシンプルにすることができる紙分離機構を提供することである。
【課題を解決するための手段】
【０００５】
上記課題を解決するため、本考案は下記の紙分離機構を提供する。
紙分離機構は、通常、自動紙送り装置中に使用し、キャリアフレーム、紙分離スタンド、紙分離バネを備え、該キャリアフレームにはバネ槽を開設し、該紙分離スタンドは該キャリアフレーム上に設置して固定し、しかも開槽を開設し、
該紙分離バネは、径方向に、該キャリアフレームのバネ槽中に設置し、しかも該紙分離バネの線径頂点端は該開槽上表面に伸び出し、該紙分離バネそのものの線径の高低差により紙の分離を行い、
本考案紙分離機構は、紙分離バネそのものの弾性を緩衝とし紙への損傷を回避することができ、従来技術の紙分離ゴム片スポンジは、紙分離ゴム片に緩衝力を提供し紙への損傷を回避しているが、
それに比べると本考案の構造は、部品の数が少なくコストが低い。
【考案の効果】
【０００６】
本考案の紙分離機構は、部品の使用数量を減らしコストを低減させ、装置をシンプルにすることができる。
【図面の簡単な説明】
【０００７】
【図１】従来の紙分離機構の部分立体図である。
【図２】図１に示す紙分離機構の部分断面図である。
【図３】本考案紙分離機構の立体図である。
【図４】図３に示す紙分離機構の立体分解図である。
【図５】図３に示す紙分離機構の側視図である。
【考案を実施するための形態】
【０００８】
以下に図面を参照しながら本考案を実施するための最良の形態について詳細に説明する。
【実施例１】
【０００９】
図３に示すように、本考案紙分離機構１００は自動紙送り装置中に使用する。本考案紙分離機構１００の実施例は、紙分離スタンド１０、キャリアフレーム２０、紙分離バネ３０を備える。
【００１０】
図４、５に示すように、キャリアフレーム２０上にはバネ槽２１を開設する。紙分離スタンド１０上にはバネ槽２１に対応して開槽１１を開設する。
【００１１】
紙分離スタンド１０はキャリアフレーム２０上に設置して固定する。紙分離バネ３０は径方向に沿ってキャリアフレーム２０上のバネ槽２１中に設置し、しかも紙分離バネ３０の線径の長短は開槽１１上表面まで伸び出す。
【００１２】
本考案紙分離機構１００の作動過程を以下に詳述する。図５に示すように紙２００をキャリアフレーム２０上に置く。紙２００下端は紙分離バネ３０上に接触する。紙２００は正方向の力を受ける。この正方向の力は紙取りローラー４０により提供する。
紙２００は紙取りローラー４０とキャリアフレーム２０との間に設置する。紙取りローラー４０が時計回りに回転すると紙２００を座屈する。紙２００底部は紙分離バネ３０に接触し、しかも紙２００は紙分離バネ３０の線径の高低差により分離される。
【００１３】
上記のように、本考案紙分離機構１００が紙分離動作を行う時には、紙分離バネ３０そのものの弾性を緩衝とし紙の損傷を回避することができる。
従来技術の紙分離ゴム片スポンジ３０’は、紙分離ゴム片２０’に緩衝力を提供し紙の損傷を回避しているが、それに比べると本考案構造は部品の数が少なくコストが低い。
【符号の説明】
【００１４】
１００  紙分離機構
１０    紙分離スタンド
１１    開槽
２０    キャリアフレーム
２１    バネ槽
３０    紙分離バネ
４０    紙取りローラー
２００  紙
【図１】
0003180538.tif 000003
【図２】
0003180538.tif 000004
【図３】
0003180538.tif 000005
【図４】
0003180538.tif 000006
【図５】
0003180538.tif 000007
【手続補正書】
【提出日】平成24年10月19日(2012.10.19)
【手続補正１】
【補正対象書類名】実用新案登録請求の範囲
【補正対象項目名】全文
【補正方法】変更
【補正の内容】
【実用新案登録請求の範囲】
【請求項１】
紙分離機構は、自動紙送り装置中に使用し、キャリアフレーム、紙分離スタンド、紙分離バネを備え、前記キャリアフレームにはバネ槽を開設し、前記紙分離スタンドは前記キャリアフレーム上に設置して固定し、しかも開槽を開設し、
前記紙分離バネは前記キャリアフレームのバネ槽中に設置し、しかも前記紙分離バネの高さは前記開槽上表面より高く、前記紙分離バネそのものの外径の最高点と隙間の間に形成された高低差により紙の分離を行うことを特徴とする紙分離機構。
(57)【要約】      （修正有）【課題】小型化されたリモートコントロールのりものコンピュータ用円板ウエハーを提供する。【解決手段】デジタル化のＭＯＳ回路２、又はリモートコントロールのマイクロ波回路３を１枚の半導体ウェハー１、に設計製造した。【選択図】図１
0003180537.tif 000002
【実用新案登録請求の範囲】
【請求項１】
ＭＯＳ又はマイクロ波回路を１枚の半導体ウェハーに設計製造したリモートコントロールのりものコンピュータ小型化対策。
【考案の詳細な説明】
【技術分野】
【０００１】
本考案は、従来のリモートコントロールのりものコンピュータに於けるコンピュータの小型化対策に関する。
【背景技術】
【０００２】（公序良俗違反につき、不掲載）を改良した（公序良俗違反につき、不掲載）で、コックピットはデジタル計器になり、パイロットふたりでも操縦ができるようになっています。また、主翼のはしにはウィングレットが取りつけられ、（公序良俗違反につき、不掲載）とよばれているものもコックピットのコンピュータコントロールによります。
【考案の概要】
【考案が解決しようとする課題】
【０００３】
しかしながら、コックピットのデジタル計器化によるコンピュータの小型化を計った新しい機種は、メーターなどをまとめてテレビ画面のようにした、グラス・コックピットが多くなっており、マン・マシン・インターフェイス向上を計ってはあるが、マン・マシン・インターオペラビリティ向上を計った地上からのリモートコントロールのりものコンピュータとしての小型化対策がないという欠点がある。
【０００４】
本考案は、上記実情を鑑みてなされたものであり、リモートコントロールのりものコンピュータの小型化対策がなされている。
【課題を解決するための手段】
【０００５】上記目的を達成するため考案は、空中ののりものを地上でコントロールするリモートコントロールのりものコンピュータの小型化対策として、次の構成を含むことを特徴としている。集積回路の発達の歴史ＴＴＬからＭＯＳそしてマイクロ波デバイスのＲ＆Ｄと実用化に伴う、（公序良俗違反につき、不掲載）技術に於ける製造方法とその構造に１枚の半導体ウェハーでデジタル化のためのＭＯＳそして（公序良俗違反につき、不掲載）の火星探検キュリオシティに知るマイクロ波入出力回路を有した（公序良俗違反につき、不掲載）リモートコントロールのりものコンピュータを構成するものである。
【考案の効果】
【０００６】
本考案により、その構成に１枚の半導体ウェハーに集積したＭＯＳ又はマイクロ波回路を設計製造する事により、リモートコントロールのりものコンピュータの小型化対策ができる。
【図面の簡単な説明】
【０００７】
【図１】本考案のリモートコントロールのりものコンピュータ小型化対策。
【考案を実施するための形態】
【０００８】
本考案の実施の形態の一例について図面を参照しながら説明する。
リモートコントロールのりものコンピュータ小型化対策は、図１に示すように、半導体ウェハー１に、デジタル化のＭＯＳ回路２、又は、マイクロ波回路３を集積したリモートコントロールのりものコンピュータ（１，２，３）で構成されるもの。
【符号の説明】
【０００９】
1.  半導体ウェハー
2.  ＭＯＳ回路
3.  マイクロ波回路
【図１】
0003180537.tif 000003
【手続補正書】
【提出日】平成24年10月15日(2012.10.15)
【手続補正１】
【補正対象書類名】実用新案登録請求の範囲
【補正対象項目名】全文
【補正方法】変更
【補正の内容】
【実用新案登録請求の範囲】
【請求項１】
ＭＯＳ又はマイクロ波回路を１枚の半導体ウエハーに設計製造した  リモートコントロールのりものコンピュータ用円板ウエハー。
【手続補正３】
【補正対象書類名】明細書
【補正対象項目名】０００２
【補正方法】変更
【補正の内容】
【０００２】  新しい航空機で、コックピットはデジタル計器になり、パイロットふたりでも操縦ができるようになっています。また、主翼のはしにはウイングレットが取りつけられ、運用もコックピットのコンピュータコントロールによります。
【手続補正４】
【補正対象書類名】明細書
【補正対象項目名】０００５
【補正方法】変更
【補正の内容】
【０００５】    上記目的を達成するため考案は、空中ののりものを地上でコントロールするリモートコントロールのりものコンピュータの小型化対策として、次の構成を含むことを特徴としている。  集積回路の発達の歴史ＴＴＬからＭＯＳそしてマイクロ波デバイスのＲ＆Ｄと実用化に伴う製造方法とその構造に部品点数削減に伴うコストダウンとして1枚の半導体ウエハーでデジタル化のためのＭＯＳ又は火星探検コンピュータに知るマイクロ波回路を具現したリモートコントロールのりものコンピュータ用円板ウエハーを構成するものである。
【手続補正５】
【補正対象書類名】明細書
【補正対象項目名】０００７
【補正方法】変更
【補正の内容】
【０００７】
【図１】本考案のリモートコントロールのりものコンピュータ用円板ウエハー
【手続補正６】
【補正対象書類名】明細書
【補正対象項目名】０００８
【補正方法】変更
【補正の内容】
【０００８】  本考案の実施の形態の一例について図面を参照しながら説明する。  リモートコントーロールのりものコンピュータ用円板ウエハーは、図１に示すように半導体ウエハー１にデジタル化のＭＯＳ回路２、又はマイクロ波回路３を集積したリモートコントロールのりもの円板ウエハー（１．２．３）で構成されるもの。
(57)【要約】      （修正有）【課題】省エネルギーであり、インテリアとしての空間を作ることができるＬＥＤランプを提供する。【解決手段】長い３本の乳白色パイプ４を３角形状に拘束させ、下端に短い３本の黒パイプ６を側面に貼り付け、太い保護パイプ５を円柱状の台座１上面の座ぐり穴に該保護パイプ５を挿入し、座ぐり穴底面の中心部に上記の６本のパイプが挿入出来る穴を貫通させ、該６本のパイプの下端にはそれぞれパイプ中心に合致させた６個の発光ダイオード３（以下「ＬＥＤ」といいます）を基板２の上面に取り付けた該ＬＥＤ３を挿入させ、該保護パイプ５の上端には蓋８を固着させる。【選択図】図２
0003180567.tif 000002
【実用新案登録請求の範囲】
【請求項１】
発光ダイオード（３）（以下「ＬＥＤ」といいます）の外径が挿入出来る長い３本の乳白色パイプ（４）を３角形状に拘束させ、下部に３角形状の該３本の乳白色パイプ（４）の外径の谷の部分に短い３本の光の拡散防止した黒パイプ（６）を下端が同一面になように側面に貼り付け、計６本のパイプを保護するための該６本のパイプを束ねた外径より大きい太い保護パイプ（５）の外径より大きい円柱状の台座（１）上面に該保護パイプ（５）の外径と同じ外径の浅い座ぐり穴を設けその座ぐり穴に該保護パイプ（５）を挿入し、座ぐり穴底面の中心部に該６本のパイプが挿入出来る穴を貫通させ、該６本のパイプの下端にはそれぞれのパイプ中心に合致させた６個の該ＬＥＤ（３）を基板（２）の上面に取り付け、それぞれのパイプに該ＬＥＤ（３）を挿入させ、該３本の乳白色パイプ（４）の下端と該基板（２）上面とが同一面になるようにして、該基板（２）の下面に取り付けられた部品等が外部に出ないような深さで該台座（１）底面に座ぐり穴を設け、該座ぐり穴面に該基板（２）をネジ（７）等で固定し、該基板（２）の上面に取り付けた該ＬＥＤ（３）以外の部品が該台座（１）に触れないようなスペースを確保する為に該基板（２）を取り付けるための座ぐり穴の外径より小さな座ぐり穴を該基板（２）上部に設け、該保護パイプ（５）下端面と該基板（２）上面との厚みは該基板（２）を固定する該ネジ（７）のネジ部が該保護パイプ（５）下端面に出なような厚みにして、該保護パイプ（５）の上端には蓋（８）を固着させ、該蓋（８）の底面の中央部に該３本の乳白色パイプ（４）の上端が挿入出来る浅い座ぐり穴を設け長い該３本の乳白色パイプ（４）が該台座（１）に対して垂直に立つようにして、該３本の乳白色パイプ（４）の底から該ＬＥＤ（３）を発光させると底から上部に向かって光のグラテーションが光のタワーのように輝き該３本の乳白色パイプ（４）の外側にある該３本の短い黒パイプ（６）の底からも該ＬＥＤ（３）を発光させると該保護パイプ（５）内に光が輝き該３本の乳白色パイプ（４）から出るグラテーションと該３本の短い黒パイプ（６）から出る光の合成による色が色んな該ＬＥＤ（３）の色の組み合わせにより癒される光となり、省エネルギーにもなるＬＥＤランプである。
【考案の詳細な説明】
【考案の詳細な説明】
従来白熱電球や蛍光灯を用いて電気スタンドや電気あんどんと言われる室内用イテリアが有りましたが、近年省エネルギーが叫ばれるようになり省エネルギーの発光ダイオードを用いた光エネルギーであります。
本考案はその発光ダイオードを用いた癒やしのインテリアを提供するものである。
発光ダイオード（３）（以下「ＬＥＤ」といいます）の外径が挿入出来る長い３本の乳白色パイプ（４）を３角形状に拘束させ、下部に３角形状の該３本の乳白色パイプ（４）の外径の谷の部分に短い３本の光の拡散防止した黒パイプ（６）を下端が同一面になように側面に貼り付け、計６本のパイプを保護するための該６本のパイプを束ねた外径より大きい太い保護パイプ（５）の外径より大きい円柱状の台座（１）上面に該保護パイプ（５）の外径と同じ外径の浅い座ぐり穴を設けその座ぐり穴に該保護パイプ（５）を挿入し、座ぐり穴底面の中心部に該６本のパイプが挿入出来る穴を貫通させ、該６本のパイプの下端にはそれぞれパイプ中心に合致させた６個の該ＬＥＤ（３）を基板（２）の上面に取り付け、それぞれのパイプに該ＬＥＤ（３）を挿入させ、該３本の乳白色パイプ（４）の下端と該基板（２）上面とが同一面になようにして、該基板（２）の下面に取り付けられた部品等が外部に出ないような深さで該台座（１）底面に該基板（２）が装着出来る外径の座ぐり穴を設け、該座ぐり穴面に該基板（２）をネジ（７）等で固定し、該基板（２）の上面に取り付けた該ＬＥＤ（３）以外の部品が該台座（１）に触れないようなスペースを確保する為に該基板（２）を取り付けるための座ぐり穴の外径より小さな座ぐり穴を該基板（２）上部に設け、該保護パイプ（５）下端面と該基板（２）上面との厚みは該基板（２）を固定する該ネジ（７）のネジ部が該保護パイプ（５）下端面に出なような厚みにして、該保護パイプ（５）の上端には蓋（８）を固着させ、該蓋（８）の底面の中央部に該３本の乳白色パイプ（４）の上端が挿入出来る浅い座ぐり穴を設け長い該３本の乳白色パイプ（４）が該台座（１）に対して垂直に立つようにして、該３本の乳白色パイプ（４）の底から該ＬＥＤ（３）を発光させると底から上部に向かって光のグラテーションが光のタワーのように輝き該３本の乳白色パイプ（４）の外側にある該３本の短い黒パイプ（６）の底からも該ＬＥＤ（３）を発光させると該保護パイプ（５）内に光が輝き該３本の乳白色パイプ（４）から出るグラテーションと該３本の短い黒パイプ（６）から出る光の合成による色が色んな該ＬＥＤ（３）の色の組み合わせによる光が室内のインタリアにもなり、癒やされる光となり、省エネルギーにもなるＬＥＤランプである。
【図面の簡単な説明】
【図１】図１はＢ−Ｂ切断面
【図２】図２はＡ−Ａ切断面
【符号の説明】１  台座
２  基板
３  ＬＥＤ（発光ダイオード）
４  乳白色パイプ
５  保護パイプ
６  黒パイプ
７  ネジ
８  蓋
【図１】
0003180567.tif 000003
【図２】
0003180567.tif 000004
(57)【要約】      （修正有）【課題】武道の組手と技を、指導者には教えやすく、受講者には学びやすくする一覧表を提供する。【解決手段】武道の組手と技の一覧表１の縦項目に技３を、横項目に組手２を配し、碁盤目状の枠４を作る。この枠の中に組手と技が合致し、成立する技には○印５を、成立しない技には×印７をつける。技と組手が合致し２つ以上ある場合は数値６をつける。【選択図】図１
0003180570.tif 000002
【実用新案登録請求の範囲】
【請求項１】
マトリックス仕様にまとめた武道の組手と技の一覧表において、縦軸に武道の技（わざ）、横軸に武道の組手（くみて）を配し、マトリックス状（碁盤目状）の枠の中に、技を掛けることの出来る印「○」と、技を掛けることの出来ない印「×」をつけた武道の組手と技の一覧表。縦軸に武道の組手、横軸に武道の技を配してもよい。また、枠の中に記す印は＊、△、斜線、数字等でもよい。
【考案の詳細な説明】
【技術分野】
【００１】本考案は武道の組手と技をマトリックス仕様の一覧表にまとめたものである。以下説明を分かり易くする為に合気道の組手と技を例として記述する。
【背景技術】
【００２】一般的に武道（合気道）の組手と技は個条書きに書かれており、今まで一覧表にまとめられたものがなかった。どのような技を、どのような状況（組手）で掛けるのか、一つの状況下において、いくつ技があるのかよくわからない。ゆえに武道（合気道）を習う人にとって基本技がいくつあるのか、よく分からない状況である。
【考案の開示】
【考案が解決しようとする課題】
【００３】従来の技術で述べたように、一つの技を指導したり、習うのは問題ないが、時系列的に技を教えたり習うのは難しい。本考案は武道（合気道）の組手と技をマトリックス仕様にすることにより、このような問題を解決し、一覧で組手と技のすべてが理解でき、時系列的に重複することなく指導をしたり、習うことが出来るように、組手と技をマトリックス仕様にした一覧表を提供することにある。また、一覧表にすることにより組手で掛けることの出来ない技を研究し、新しい技の開発につながる。【００４】本考案は横軸に組手の状況、縦軸に技の種類を記入し、碁盤目のような格子（＝マトリックス）状の表を作り、格子（＝枠）の中に組手において技を掛けることの出来る技には○印を、掛けることの出来ない技には×印をつける。
【考案の効果】
【００５】上述のように武道（合気道）の技が、投げ技と組手に縦横に区分されており、どの組手で、どの技を掛けることが出来るのかが一目瞭然に理解することが出来る。これは指導者や、受講者にとって技の理解がしやすく技術の向上に役立つ。また、新しい技の開発にも役立つ。
【実施例】
【００５】以下図１の「武道（合気道）の組手と技の一覧表」に沿って説明する。１はマトリックス仕様にまとめた合気道の組手と技の一覧表、２は合気道の組手、３は合気道の技、４の□（四角形）は技の判別を示す枠、５の○（丸印）は組手による１つの技を掛けることが出来ることを示す、６の数字が２の場合は組手による技が２つあることを示す、同様に３の場合は３つあることを示す、数字は以下同様である、７の×印はその組手に技のないことを示す。
【産業上の利用可能性】
【００６】本考案は上記のように構成されているので、武道（合気道）の指導者や受講者にとって技を時系列的、系統的に習得するのに有効である。
【図面の簡単な説明】
【００７】
【図１】「武道（合気道）の組手と技の一覧表」の説明１マトリックス仕様にまとめた合気道の組手と技の一覧表２合気道の組手３合気道の技４□（四角形）は技の判別を示す枠５○（丸印）は組手による１つの技６数字が２の場合は組手による技が２つ、３の数字は３つあることを示す７×（バツ印）はその組手に技のないことを示す
【図１】
0003180570.tif 000003